(57)【要約】【課題】かご室内の密閉化及び低騒音化をより確実に図ることができるエレベータのかご救出口装置を得る。【解決手段】エレベータのかご救出口装置１２は、内パネル１３に設けられた内側救出口１５を開閉する内戸１７と、外パネル１４の面に沿った所定の方向について往復移動することにより、外パネル１４に設けられた外側救出口１６を開閉する外戸１８と、外戸１８を案内する案内装置１９と、外戸１８が外側救出口１６を閉じる位置にあるときに、外戸１８の周縁部と外パネル１４との間の隙間を密閉するパッキン２１とを有している。案内装置１９は、外戸１８の移動方向に沿ったレール溝２５がそれぞれ設けられた一対の戸レール２４を有している。各戸レール２４は、外戸１８の端部がレール溝２５に挿入された状態で外戸１８を挟んで外パネル１４の面に設けられている。【選択図】図２
2012131583.tif 000002
【特許請求の範囲】
【請求項１】
内側救出口が設けられた内パネルと、上記内側救出口に対向する外側救出口が設けられ、上記内パネルよりも外側に配置された外パネルとにより構成された二重構造の縦壁を有するかごに設けられたエレベータのかご救出口装置であって、
上記内側救出口を開閉する内戸、
上記外パネルの面に沿った所定の方向について往復移動することにより上記外側救出口を開閉する外戸、
上記外戸の移動方向に沿ったレール溝がそれぞれ設けられ、上記外戸の端部が上記レール溝に挿入された状態で上記外戸を挟んで上記外パネルの面に設けられた一対の戸レールを有し、上記外戸を各上記レール溝に沿って案内する案内装置、及び
上記外戸が上記外側救出口を閉じる位置にあるときに、上記外戸の周縁部と上記外パネルとの間の隙間を密閉するパッキン
を備えていることを特徴とするエレベータのかご救出口装置。
【請求項２】
上記外戸が上記外側救出口を閉じる位置に達することにより上記外戸の戸閉側端部が挿入される受け溝が設けられ、上記外パネルに設けられた戸当たり部材
をさらに備えていることを特徴とする請求項１に記載のエレベータのかご救出口装置。
【請求項３】
上記外戸の戸開側端部には、上記外戸の撓みを抑制するための補強部が設けられていることを特徴とする請求項１又は請求項２に記載のエレベータのかご救出口装置。
【請求項４】
上記外戸の移動方向は、上記外側救出口の間口方向又は上下方向であることを特徴とする請求項１乃至請求項３のいずれか一項に記載のエレベータのかご救出口装置。
【発明の詳細な説明】
【技術分野】
【０００１】
この発明は、二重構造の縦壁を有するかごに設けられ、縦壁に設けられた救出口を開閉可能なエレベータのかご救出口装置に関するものである。
【背景技術】
【０００２】
従来のエレベータでは、エレベータの高速化に伴い、かご室内の気圧を所定の気圧に保つための気圧制御装置がかご室に設けられることがある。かご室内の気圧を保つためには、かご室内の密閉化が必要となる。一方、従来、例えば停電等の事故が発生したときにかご室内の乗客を救出するために、かご室の縦壁に救出口を設け、救出口を扉により開閉するようにしたエレベータが知られている。
【０００３】
従来、かご室内の密閉化及び低騒音化を図るとともに、非常時にかご室内の乗客を救出可能とするために、かご室の縦壁を二重構造とし、かご室の縦壁に設けられた救出口を開閉する扉も内扉及び外扉の二重構造としたエレベータが提案されている。内扉及び外扉は、いずれも蝶番で縦壁に取り付けられている。従って、救出口は、内扉及び外扉が蝶番を中心に回動されることにより開閉される。外扉が救出口を閉じているときには、外扉の外周と縦壁の外壁との間がパッキンにより密封される（例えば特許文献１参照）。
【先行技術文献】
【特許文献】
【０００４】
【特許文献１】特開２００２−１６０８７４号公報
【発明の概要】
【発明が解決しようとする課題】
【０００５】
しかし、外扉が蝶番により回動される構造であるため、かご室内外の気圧の変動により、救出口を開く方向へ外扉に圧力がかかったときに、外扉と縦壁との間に隙間が生じ、パッキンの機能が発揮されなくなるおそれがある。
【０００６】
この発明は、上記のような課題を解決するためになされたものであり、かご室内の密閉化及び低騒音化をより確実に図ることができるエレベータのかご救出口装置を得ることを目的とする。
【課題を解決するための手段】
【０００７】
この発明に係るエレベータのかご救出口装置は、内側救出口が設けられた内パネルと、内側救出口に対向する外側救出口が設けられ、内パネルよりも外側に配置された外パネルとにより構成された二重構造の縦壁を有するかごに設けられたエレベータのかご救出口装置であって、内側救出口を開閉する内戸、外パネルの面に沿った所定の方向について往復移動することにより外側救出口を開閉する外戸、外戸の移動方向に沿ったレール溝がそれぞれ設けられ、外戸の端部がレール溝に挿入された状態で外戸を挟んで外パネルの面に設けられた一対の戸レールを有し、外戸を各レール溝に沿って案内する案内装置、及び外戸が外側救出口を閉じる位置にあるときに、外戸の周縁部と外パネルとの間の隙間を密閉するパッキンを備えている。
【発明の効果】
【０００８】
この発明に係るエレベータのかご救出口装置では、外戸の移動方向に沿ったレール溝が一対の戸レールにそれぞれ設けられ、外戸の端部がレール溝に挿入された状態で各戸レールが外戸を挟んで外パネルの面に設けられているので、かご室の内外で気圧差が生じて、外戸がパッキンから離れる方向へ圧力を受けた場合であっても、パッキンから離れる方向への外戸の変位を各レール溝の規制により阻止することができ、外戸と外パネルとの間に隙間が生じることを防止することができる。従って、かご室内の密閉化及び低騒音化をより確実に図ることができる。
【図面の簡単な説明】
【０００９】
【図１】この発明の実施の形態１によるエレベータのかごを示す斜視図である。
【図２】図１のII-II線に沿った断面図である。
【図３】図２のIII-III線に沿った断面図である。
【図４】図２のIV部を示す拡大図である。
【発明を実施するための形態】
【００１０】
実施の形態１．
図１は、この発明の実施の形態１によるエレベータのかごを示す斜視図である。図において、昇降路内を昇降されるかご１は、かご室２と、かご室２を支持するかご枠３とを有している。
【００１１】
かご枠３は、かご室２が載せられた下枠４と、かご室２の上方に位置する上枠５と、下枠４及び上枠５間にそれぞれ固定され、かご室２を挟んで配置された一対の縦枠６とを有している。これにより、かご室２は、かご枠３により囲まれている。
【００１２】
かご室２は、かご床７と、かご床７の上方に位置するかご天井８と、かご床７及びかご天井８のそれぞれの周縁部間に固定され、かご床７とかご天井８との間の空間を囲む縦壁９とを有している。
【００１３】
縦壁９は、かご室２の奥行き方向について互いに対向する正面壁部９ａ及び背面壁部９ｂと、かご室２の幅方向について互いに対向する一対の側面壁部９ｃとを有している。正面壁部９ａには、一対のかごドア１０により開閉されるかご出入口１１が設けられている。各側面壁部９ｃのいずれか一方には、例えば停電等の事故が発生したときのような非常時にかご室２内の乗客を救出するためのかご救出口装置１２が設けられている。
【００１４】
図２は図１のII-II線に沿った断面図、図３は図２のIII-III線に沿った断面図である。図において、縦壁９（即ち、正面壁部９ａ、背面壁部９ｂ及び各側面壁部９ｃ）は、内パネル１３と、かご室２内からみて内パネル１３よりも外側に配置された外パネル１４とにより構成された二重構造の壁となっている。
【００１５】
かご救出口装置１２が設けられた側面壁部９ｃの内パネル１３には、内側救出口１５が設けられている。かご救出口装置１２が設けられた側面壁部９ｃの外パネル１４には、外側救出口１６が設けられている。内側救出口１５及び外側救出口１６は、側面壁部９ｃの厚さ方向について互いに対向している。なお、かご室２の内外を連通するかご救出口は、内側救出口１５及び外側救出口１６により構成されている。
【００１６】
かご救出口装置１２は、内側救出口１５を開閉する内戸１７と、外側救出口１６を開閉する外戸１８と、外パネル１４に設けられ、外戸１８を案内する案内装置１９（図３）と、外パネル１４に設けられ、外戸１８の戸閉方向への移動を規制する戸当たり部材２０（図２）と、外戸１８が外側救出口１６を閉じる位置にあるときに、外戸１８の周縁部と外パネル１４との間の隙間を密閉するゴム製又は樹脂製のパッキン２１とを有している。
【００１７】
内戸１７は、図示しない蝶番により内パネル１３に取り付けられている。内戸１７は、内パネル１３に対して蝶番の軸を中心に回動可能になっている。これにより、内戸１７は、内パネル１３に対する回動により内側救出口１５を開閉する開き戸とされている。蝶番の軸は、上下方向に沿って配置されている。内戸１７は、かご室２の内側へ回動されることにより内側救出口１５を開く内開きの戸になっている。
【００１８】
外戸１８は、外パネル１４の面に沿った所定の方向について往復移動することにより外側救出口１６を開閉する引き戸とされている。この例では、外戸１８の移動方向が、図２の矢印Ａで示されるように、外側救出口１６の間口方向（幅方向）とされている。
【００１９】
また、外戸１８は、外パネル１４に平行な戸板２２と、戸板２２にそれぞれ固定され、戸板２２を補強する複数本の補強材２３とを有している。戸板２２は、戸板２２の幅方向を外戸１８の移動方向と一致させて配置されている。各補強材２３は、上下方向に沿って配置され、戸板２２の幅方向へ互いに間隔を置いて戸板２２にそれぞれ固定されている。
【００２０】
案内装置１９は、図３に示すように、外戸１８を挟んで外パネル１４の面に設けられた一対の戸レール２４を有している。この例では、各戸レール２４が上下方向について外戸１８を挟んでいる。従って、一方の戸レール２４は外側救出口１６の上部に配置され、他方の戸レール２４は外側救出口１６の下部に配置されている。各戸レール２４は、外パネル１４の内パネル１３側の面にそれぞれ固定されている。また、各戸レール２４は、外戸１８の移動範囲全体に亘って互いに平行に配置されている。
【００２１】
各戸レール２４には、外戸１８の移動方向に沿ったレール溝２５がそれぞれ設けられている。各レール溝２５には、外戸１８の端部がそれぞれ挿入されている。この例では、外側救出口１６の上部に配置された戸レール２４のレール溝２５に外戸１８の上端部が挿入され、外側救出口１６の下部に配置された戸レール２４のレール溝２５に外戸１８の下端部が挿入されている。
【００２２】
各戸レール２４は、外パネル１４の面に垂直な方向（即ち、側面壁部９ｃの厚さ方向）について外パネル１４に対する外戸１８の位置を各レール溝２５の規制により保ちながら、外戸１８を各レール溝２５に沿って外側救出口１６の間口方向へ案内する。
【００２３】
戸当たり部材２０は、図２に示すように、外側救出口１６の戸閉側の位置に上下方向に沿って配置されている。また、戸当たり部材２０は、外パネル１４の内パネル１３側の面に固定されている。
【００２４】
戸当たり部材２０には、上下方向に沿った受け溝２６が設けられている。受け溝２６には、外戸１８が外側救出口１６を閉じる位置に達することにより外戸１８の戸閉側端部が挿入される。戸当たり部材２０は、外戸１８の戸閉側端部が受け溝２６に挿入されることにより、外戸１８の戸閉方向への移動を阻止する。外戸１８の戸閉側端部が受け溝２６に挿入されている状態では、外パネル１４の面に垂直な方向について、外パネル１４に対する外戸１８の位置が受け溝２６の規制により保たれる。
【００２５】
パッキン２１は、外側救出口１６を囲んで配置されている。この例では、パッキン２１が外側救出口１６の上下左右の４辺に沿って配置されている。また、パッキン２１は、外パネル１４の内パネル１３側の面に固定されている。さらに、パッキン２１は、各戸レール２４及び戸当たり部材２０のそれぞれよりも外側救出口１６に近い位置に配置されている。この例では、パッキン２１は、各戸レール２４及び戸当たり部材２０のそれぞれの外側救出口１６側の面に接触した状態で外パネル１４に固定されている。パッキン２１の厚さ寸法は、各レール溝２５及び受け溝２６の外パネル１４からの距離に合わせて設定されている。
【００２６】
外戸１８は、内パネル１３側からパッキン２１に隙間なく接触した状態で、外側救出口１６の間口方向へ移動される。外戸１８が外側救出口１６を閉じる位置にあるときには、外戸１８の周縁部と外パネル１４との間の隙間がパッキン２１により密閉される。これにより、内パネル１３と外パネル１４との間の空間に外側救出口１６を通して外気が進入することが阻止される。
【００２７】
図４は、図２のIV部を示す拡大図である。図において、外戸１８の戸閉側端部には、戸板２２から戸板２２の厚さ方向へ突出する突出部（補強部）２７が設けられている。突出部２７は、戸板２２の高さ寸法の全体に亘って設けられている。これにより、外戸１８の戸閉側端部は、外戸１８の戸開側端部よりも、戸板２２の厚さ方向について補強されている。これにより、外戸１８の戸閉側端部において、戸板２２の厚さ方向への外戸１８の撓みが抑制される。この例では、戸板２２及び突出部２７が一枚の板を折り曲げることにより一体に形成されている。
【００２８】
突出部２７は、外側救出口１６の戸開側の位置に配置されたパッキン２１に対して、外戸１８の移動方向について係合可能になっている。また、突出部２７は、外戸１８が外側救出口１６を閉じる位置にあるときにパッキン２１に係合され、外戸１８が外側救出口１６を閉じる位置から外れるとパッキン２１から離れるようになっている。突出部２７がパッキン２１に係合されているときには、突出部２７が外戸１８の戸閉方向へパッキン２１に隙間なく接触している。これにより、外戸１８が外側救出口１６を閉じる位置にあるときには、外パネル１４に垂直な方向だけでなく、外戸１８の移動方向についても、外戸１８の戸開側端部がパッキン２１に隙間なく接触している。
【００２９】
次に、動作について説明する。エレベータの通常運転時には、内側救出口１５が内戸１７により閉じられ、外側救出口１６が外戸１８により閉じられている。例えば停電等の事故が発生したときには、内戸１７をかご室２の内側へ回動させるとともに、外戸１８を外側救出口１６の間口方向へ移動させて、内側救出口１５及び外側救出口１６のそれぞれを開くことにより、かご室２内の乗客の救出が可能になる。
【００３０】
かご室２内の気圧がかご室２外の気圧よりも高くなると、外戸１８はかご室２内からかご室２外へ押される圧力を受ける。従って、外戸１８が外側救出口１６を閉じる位置にあるときには、外戸１８の周縁部がパッキン２１に押し付けられる方向へ外戸１８に圧力がかかる。この場合には、外戸１８と外パネル１４との間の密閉状態が強化され、外戸１８と外パネル１４との間に隙間が生じることが防止される。
【００３１】
一方、かご室２内の気圧がかご室２外の気圧よりも低くなると、外戸１８はかご室２外からかご室２内へ押される圧力を受ける。従って、外戸１８には、パッキン２１から離れる方向へ圧力がかかる。
【００３２】
パッキン２１から離れる方向へ外戸１８に圧力がかかる状態であっても、外戸１８が外側救出口１６を閉じる位置にあるときには、外戸１８の上端部及び下端部がレール溝２５にそれぞれ挿入され、外戸１８の戸閉側端部が受け溝２６に挿入されているので、外戸１８の上端部、下端部及び戸閉側端部のそれぞれの外パネル１４に対する変位が阻止され、外戸１８の上端部、下端部及び戸閉側端部のそれぞれと外パネル１４との間に隙間が生じることが防止される。また、外戸１８の戸開側端部には、外戸１８を補強する突出部２７が設けられているので、外戸１８が受ける圧力によって外戸１８の戸開側端部が戸板２２の厚さ方向へ撓むことが抑制され、外戸１８の戸開側端部と外パネル１４との間に隙間が生じることが防止される。従って、外戸１８の全周に亘って外戸１８と外パネル１４との間に隙間が生じることが防止され、外戸１８の周縁部と外パネル１４との間の密閉状態が維持される。
【００３３】
外戸１８の戸開側端部が戸板２２の厚さ方向へ撓む場合であっても、突出部２７が外戸１８の戸閉方向へパッキン２１に押し付けられているので、突出部２７がパッキン２１に接触しながら変位されるだけで、突出部２７がパッキン２１から離れることが防止され、外戸１８の戸開側端部と外パネル１４との間に隙間が生じることが防止される。
【００３４】
このようなエレベータのかご救出口装置１２では、引き戸である外戸１８の移動方向に沿ったレール溝２５が一対の戸レール２４にそれぞれ設けられ、外戸１８の上端部及び下端部がレール溝２５に個別に挿入された状態で各戸レール２４が外戸１８を挟んで外パネル１４の面に設けられているので、かご室２の内外で気圧差が生じて、外戸１８がパッキン２１から離れる方向へ圧力を受けた場合であっても、パッキン２１から離れる方向への外戸１８の変位を各レール溝２５の規制により阻止することができ、外戸１８と外パネル１４との間に隙間が生じることを防止することができる。従って、かご室２内の密閉化及び低騒音化をより確実に図ることができる。
【００３５】
また、受け溝２６が設けられた戸当たり部材２０が外パネル１４に設けられ、外戸１８が外側救出口１６を閉じる位置に達することにより外戸１８の戸閉側端部が受け溝２６に挿入されるようになっているので、外戸１８がパッキン２１から離れる方向へ圧力を受けた場合に、外戸１８の戸閉側端部が撓むことを受け溝２６の規制により防止することができ、外戸１８の戸閉側端部と外パネル１４との間に隙間が生じることをさらに確実に防止することができる。従って、かご室２内の密閉化及び低騒音化をさらに確実に図ることができる。
【００３６】
また、外戸１８の戸開側端部には、外戸１８の厚さ方向について外戸１８を補強する突出部２７が設けられているので、外戸１８がパッキン２１から離れる方向へ圧力を受けた場合に、外戸１８の戸開側端部が撓むことを抑制することができ、外戸１８の戸開側端部と外パネル１４との間に隙間が生じることをさらに確実に防止することができる。従って、かご室２内の密閉化及び低騒音化をさらに確実に図ることができる。
【００３７】
また、外戸１８の移動方向は、外側救出口１６の間口方向とされているので、外戸１８を容易に移動させることができる。
【００３８】
また、突出部２７は、外戸１８が外側救出口１６を閉じる位置にあるときに、外戸１８の戸閉方向へパッキン２１に押し付けられるようになっているので、外戸１８の戸開側端部が撓むようなことがあったとしても、突出部２７をパッキン２１に接触させながら変位させることができ、外戸１８の戸開側端部と外パネル１４との間に隙間が生じることをさらに確実に防止することができる。
【００３９】
なお、上記の例では、戸当たり部材２０に受け溝２６が設けられているが、かご室２の内外の気圧差によって生じる圧力を受けたときであっても撓みにくい十分な強度を外戸１８が有しているのであれば、戸当たり部材２０に受け溝２６はなくてもよい。
【００４０】
また、上記の例では、外戸１８の戸開側端部に突出部２７が設けられているが、かご室２の内外の気圧差によって生じる圧力を受けたときであっても撓みにくい十分な強度を外戸１８の戸開側端部が有しているのであれば、突出部２７はなくてもよい。
【００４１】
また、上記の例では、パッキン２１が外パネル１４に固定されているが、外戸１８の周縁部にパッキン２１を固定して、パッキン２１が外戸１８と一体に移動されるようになっていてもよい。
【００４２】
また、上記の例では、外戸１８の移動方向が外側救出口１６の間口方向とされているが、外戸１８の移動方向を上下方向としてもよい。この場合、各戸レール２４は、外戸１８を挟んだ状態で外戸１８の移動方向である上下方向に沿って配置される。また、一方の戸レール２４のレール溝２５には、外側救出口１６の間口方向についての外戸１８の一端部が挿入され、他方の戸レール２４のレール溝２５には、外側救出口１６の間口方向についての外戸１８の他端部が挿入される。さらに、戸当たり部材２０は、外側救出口１６の下部に配置される。このようにしても、パッキン２１から離れる方向への外戸１８の変位を各レール溝２５の規制により阻止することができ、外戸１８と外パネル１４との間に隙間が生じることを防止することができる。
【００４３】
また、上記の例では、かご救出口装置１２が一方の側面壁部９ｃにのみ設けられているが、かご救出口装置１２が設けられる位置は縦壁９であればよく、例えば他方の側面壁部９ｃや背面壁部９ｂにかご救出口装置１２を設けてもよい。
【００４４】
また、上記の例では、内パネル１３に対して回動されることにより内側救出口１５を開閉する開き戸が内戸１７として内パネル１３に取り付けられているが、内パネル１３の面に沿った所定の方向へ移動することにより内側救出口１５を開閉する引き戸を内戸１７として内パネル１３に取り付けてもよい。この場合、外戸１８の場合と同様に、内戸１７を案内する各戸レールは、内戸１７の端部がレール溝に挿入された状態で内戸１７を挟んで内パネル１３にそれぞれ設けられる。また、内戸１７の戸閉方向への移動を規制する戸当たり部材は、内側救出口１５の戸閉側の位置に設けられる。
【符号の説明】
【００４５】
１２  かご救出口装置、１３  内パネル、１４  外パネル、１５  内側救出口、１６  外側救出口、１７  内戸、１８  外戸、１９  案内装置、２０  戸当たり部材、２１  パッキン、２４  戸レール、２５  レール溝、２６  受け溝、２７  突出部（補強部）。
【図１】
2012131583.tif 000003
【図２】
2012131583.tif 000004
【図３】
2012131583.tif 000005
【図４】
2012131583.tif 000006